(57)【要約】      （修正有）【課題】ダーツボートと携帯装置のインターネット接続構造を提供する。【解決手段】クラウドサーバー１０、通信装置２０、ダーツボード３０、携帯装置４０を備え、通信装置２０は通信インターネットを経由してクラウドサーバー１０に通信され、ダーツボード３０はダーツ区ユニット３１、ダーツ区感知ユニット３２、ダーツボードとクラウドサーバーとが無線通信により接続されるダーツボートワイヤレス通信ユニット３３で構成され、ダーツボートワイヤレス通信ユニット３３によりダーツ区感知ユニット３２が感知させた得点信号が受信されてクラウドサーバー１０に転送される。携帯装置４０とクラウドサーバー１０とを無線通信により接続させる携帯装置４０のワイヤレス通信ユニット３３を有し、携帯装置４０がログインした後、クラウドサーバー１０により計算された得点値の確認及び照会が行われる。よって、場所の制限を受けずに多人数で同時にプレイ可能になり、適用性を高める。【選択図】図１
0003197954.tif 000002
【実用新案登録請求の範囲】
【請求項１】
データベース及びユーザーデータベースからなり、且つ前記データベースは得点信号の計算及び保存に用いられると共に得点値を取得し、前記ユーザーデータベースにはユーザー登録情報が少なくとも保存されるクラウドサーバーと、
通信インターネットを経由して前記クラウドサーバーに通信される通信装置と、
ダーツ区ユニット、ダーツ区感知ユニット、及びダーツボートワイヤレス通信ユニットで構成され、前記ダーツ区ユニットには射的されたダーツが定位され、前記ダーツ区感知ユニットにより前記ダーツ区ユニットに射的された前記ダーツの命中点が感知され、命中点の違いに基づいて異なる前記得点信号が出力され、前記ダーツボートワイヤレス通信ユニットによりダーツボード無線接続信号が前記通信装置に出力され、それと前記クラウドサーバーとが無線通信により接続され、前記ダーツボートワイヤレス通信ユニットにより前記得点信号が受信されて最終的に前記データベースに転送されるダーツボードと、
携帯装置のワイヤレス通信ユニットを有し、前記携帯装置のワイヤレス通信ユニットにより携帯装置無線接続信号が前記通信装置に出力され、それと前記クラウドサーバーとが無線通信により接続され、それが前記ユーザー登録情報にログインした後、前記得点値の確認及び照会が行われる携帯装置とを備えることを特徴とするダーツボード及び携帯装置のインターネット接続機構。
【請求項２】
前記通信装置はルーターであることを特徴とする、請求項１記載のダーツボード及び携帯装置のインターネット接続機構。
【請求項３】
前記ダーツボートワイヤレス通信ユニットはＷｉ−Ｆｉ通信ユニットであることを特徴とする、請求項１記載のダーツボード及び携帯装置のインターネット接続機構 。
【請求項４】
前記携帯装置のワイヤレス通信ユニットはＷｉ−Ｆｉ通信ユニットであることを特徴とする、請求項１記載のダーツボード及び携帯装置のインターネット接続機構。
【請求項５】
データベース及びユーザーデータベースからなり、前記データベースは得点信号の計算及び保存に用いられると共に得点値を取得し、前記ユーザーデータベースにはユーザー登録情報が少なくとも保存されるクラウドサーバーと、
通信インターネットを経由して前記クラウドサーバーに通信される通信装置と、
ダーツ区ユニット、ダーツ区感知ユニット、及びダーツボートワイヤレス通信ユニットで構成され、前記ダーツ区ユニットには射的されたダーツが定位され、前記ダーツ区感知ユニットにより前記ダーツ区ユニットに射的された前記ダーツの命中点が感知され、命中点の違いに基づいて異なる前記得点信号が出力され、前記ダーツボートワイヤレス通信ユニットによりダーツボード無線接続信号が前記通信装置に出力され、それと前記クラウドサーバーとが無線通信により接続され、前記ダーツボートワイヤレス通信ユニットにより前記得点信号が受信されて最終的には前記データベースに転送されるダーツボードと、
携帯装置のワイヤレス通信ユニットを有し、前記携帯装置のワイヤレス通信ユニットにより携帯装置無線接続信号が前記ダーツボードのダーツボートワイヤレス通信ユニットに出力され、それと前記クラウドサーバーとが無線通信により接続され、それが前記ユーザー登録情報にログインした後、前記得点値の確認及び照会が行われる携帯装置とを備えることを特徴とするダーツボード及び携帯装置のインターネット接続機構。
【請求項６】
前記通信装置はルーターであることを特徴とする、請求項５記載のダーツボード及び携帯装置のインターネット接続機構。
【請求項７】
前記ダーツボートワイヤレス通信ユニットはＷｉ−Ｆｉ通信ユニットであり、前記携帯装置のワイヤレス通信ユニットはＷｉ−Ｆｉ通信ユニットであることを特徴とする、請求項５記載のダーツボード及び携帯装置のインターネット接続機構。
【請求項８】
前記ダーツボートワイヤレス通信ユニットはブルートゥース通信ユニットであり、前記携帯装置のワイヤレス通信ユニットはブルートゥース通信ユニットであることを特徴とする、請求項５記載のダーツボード及び携帯装置のインターネット接続機構。
【考案の詳細な説明】
【技術分野】
【０００１】
本考案は、ダーツボード及び携帯装置のインターネット接続機構に関する。
【背景技術】
【０００２】
初期のダーツボードゲームでは人間が得点を計算していたが、計算が面倒な上に計算ミスが発生した。以後は、ダーツボードに電子感知方式を採用し、ダーツボードに設置された電子感知システムにより自動でダーツが刺さった命中点を感知させ、命中点の得点を自動的に計算し、人間が計算する不便を解消して計算ミスが起こる問題も解決させた。
【０００３】
しかしながら、前述した従来の技術では、即ち、電子式ダーツボードは自動感知及び計算機能を有するが、但しインターネット接続機能は具備しておらず、適用性が十分ではない。趣味の観点から言えば、離れた場所に住む友人や家族と一緒に同じダーツボードのゲームが出来ない。競技として見れば、参加者は特定の競技場内でダーツ競技を行うことになり、異なる地点で同時に競技を行うことは不可能である。従って、ダーツボード競技は競技場の広さも制限され、ダーツボード競技を推進し、競技規模を拡大するのが困難であった。
【先行技術文献】
【特許文献】
【０００４】
【特許文献１】なし
【考案の概要】
【考案が解決しようとする課題】
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものであり、その目的とするところは、ダーツボード及び携帯装置のインターネット接続機構を提供することを主目的とする。
【課題を解決するための手段】
【０００７】
上述した課題を解決し、目的を達成するために、請求項１に係る考案は、データベース及びユーザーデータベースからなり、且つ前記データベースは得点信号の計算及び保存に用いられると共に得点値を取得し、前記ユーザーデータベースにはユーザー登録情報が少なくとも保存されるクラウドサーバーと、通信インターネットを経由して前記クラウドサーバーに通信される通信装置と、ダーツ区ユニット、ダーツ区感知ユニット、及びダーツボートワイヤレス通信ユニットで構成され、前記ダーツ区ユニットには射的されたダーツが定位され、前記ダーツ区感知ユニットにより前記ダーツ区ユニットに射的された前記ダーツの命中点が感知され、命中点の違いに基づいて異なる前記得点信号が出力され、前記ダーツボートワイヤレス通信ユニットによりダーツボード無線接続信号が前記通信装置に出力され、それと前記クラウドサーバーとが無線通信により接続され、前記ダーツボートワイヤレス通信ユニットにより前記得点信号が受信されて最終的に前記データベースに転送されるダーツボードと、携帯装置のワイヤレス通信ユニットを有し、前記携帯装置のワイヤレス通信ユニットにより携帯装置無線接続信号が前記通信装置に出力され、それと前記クラウドサーバーとが無線通信により接続され、それが前記ユーザー登録情報にログインした後、前記得点値の確認及び照会が行われる携帯装置とを備えることを特徴とするダーツボード及び携帯装置のインターネット接続機構。
【０００８】
請求項２に記載のダーツボード及び携帯装置のインターネット接続機構は請求項１において、好ましくは、通信装置はルーターである。
【０００９】
請求項３に記載のダーツボード及び携帯装置のインターネット接続機構は請求項１において、好ましくは、ダーツボートワイヤレス通信ユニットはＷｉ−Ｆｉ通信ユニットである。
【００１０】
請求項４に記載のダーツボード及び携帯装置のインターネット接続機構は請求項１において、好ましくは、携帯装置のワイヤレス通信ユニットはＷｉ−Ｆｉ通信ユニットである。
【００１１】
また、上記目的を達成するための本考案は、請求項５に係るダーツボード及び携帯装置のインターネット接続機構は、データベース及びユーザーデータベースからなり、前記データベースは得点信号の計算及び保存に用いられると共に得点値を取得し、前記ユーザーデータベースにはユーザー登録情報が少なくとも保存されるクラウドサーバーと、通信インターネットを経由して前記クラウドサーバーに通信される通信装置と、ダーツ区ユニット、ダーツ区感知ユニット、及びダーツボートワイヤレス通信ユニットで構成され、前記ダーツ区ユニットには射的されたダーツが定位され、前記ダーツ区感知ユニットにより前記ダーツ区ユニットに射的された前記ダーツの命中点が感知され、命中点の違いに基づいて異なる前記得点信号が出力され、前記ダーツボートワイヤレス通信ユニットによりダーツボード無線接続信号が前記通信装置に出力され、それと前記クラウドサーバーとが無線通信により接続され、前記ダーツボートワイヤレス通信ユニットにより前記得点信号が受信されて最終的には前記データベースに転送されるダーツボードと、携帯装置のワイヤレス通信ユニットを有し、前記携帯装置のワイヤレス通信ユニットにより携帯装置無線接続信号が前記ダーツボードのダーツボートワイヤレス通信ユニットに出力され、それと前記クラウドサーバーとが無線通信により接続され、それが前記ユーザー登録情報にログインした後、前記得点値の確認及び照会が行われる携帯装置とを備えることを特徴とする。
【００１２】
換言すれば、本考案に係るダーツボード及び携帯装置のインターネット接続機構は、携帯装置がダーツボードのダーツボートワイヤレス通信ユニットにより最終的にクラウドサーバーに無線通信で接続される。但し、ダーツボードは通信装置により通信インターネットを経由してクラウドサーバーに通信されて接続される。
【００１３】
請求項６に記載のダーツボード及び携帯装置のインターネット接続機構は請求項５において、好ましくは、通信装置はルーターである。
【００１４】
請求項７に記載のダーツボード及び携帯装置のインターネット接続機構は請求項５において、好ましくは、ダーツボートワイヤレス通信ユニットはＷｉ−Ｆｉ通信ユニットであり、携帯装置のワイヤレス通信ユニットはＷｉ−Ｆｉ通信ユニットである。
【００１５】
請求項８に記載のダーツボード及び携帯装置のインターネット接続機構は請求項５において、好ましくは、ダーツボートワイヤレス通信ユニットはブルートゥース通信ユニットであり、携帯装置のワイヤレス通信ユニットはブルートゥース通信ユニットである。
【考案の効果】
【００１６】
本考案によれば、ダーツボードに場所の制限を受けさせずに多人数で同時にプレイ可能にし、適用性を高める。
【図面の簡単な説明】
【００１７】
【図１】本考案の第１実施形態を示すブロック図である。
【図２】本考案の第１実施形態を示す概略図である。
【図３】本考案の第１実施形態を示す実施の概略図である。
【図４】本考案の第２実施形態を示すブロック図である。
【図５】本考案の第２実施形態を示す概略図である。
【図６】本考案の第３実施形態を示すブロック図である。
【図７】本考案の第４実施形態を示すブロック図である。
【考案を実施するための形態】
【００１８】
以下に図面を参照して、本考案を実施するための形態について、詳細に説明する。なお、本考案は、以下に説明する実施形態に限定されるものではない。
【００１９】
以下、本考案の実施形態について、図面を参照しながら説明する。図１及び図２は本考案の第１実施形態によるダーツボード及び携帯装置のインターネット接続機構であり、クラウドサーバー１０、通信装置２０、ダーツボード３０、及び２つの携帯装置４０で主に構成される。クラウドサーバー１０はクラウドプラットフォームに設置され、クラウドプラットフォームはｇｏｏｇｌｅが提供するクラウドプラットフォームであるが、これのみに限定するわけではない。また、クラウドサーバー１０はデータベース１１及びユーザーデータベース１２を含み、データベース１１は得点信号の計算及び保存に用いられ、得点値を取得させる。ユーザーデータベース１２には２つのユーザー登録情報が保存され、ユーザー登録情報は無限に拡充可能である。通信装置２０は通信インターネット９０を経由してクラウドサーバー１０に通信される。本実施形態において、通信装置２０はルーターである。
【００２０】
ダーツボード３０はダーツ区ユニット３１、ダーツ区感知ユニット３２、及びダーツボートワイヤレス通信ユニット３３を備える。      ダーツ区ユニット３１では射的されたダーツ３４が定位され、且つダーツ区ユニット３１は複数の領域に分割される。ダーツ区感知ユニット３２によりダーツ区ユニット３１に射的されたダーツ３４の命中点が感知され、命中点に基づいて異なる得点信号が出力される。ダーツボートワイヤレス通信ユニット３３はダーツボード無線接続信号を通信装置２０に出力させ、ダーツボード３０とクラウドサーバー１０とを無線通信により接続させ、ダーツボートワイヤレス通信ユニット３３により受信された得点信号は最終的にはデータベース１１に転送される。つまりは、通信装置２０により受信された得点信号が通信インターネット９０を経由してクラウドサーバー１０のデータベース１１内に転送されて計算及び保存が行われる。本実施形態において、ダーツボートワイヤレス通信ユニット３３はＷｉ−Ｆｉ通信ユニットである。
【００２１】
２つの携帯装置４０は携帯装置のワイヤレス通信ユニット４１を各々有し、携帯装置のワイヤレス通信ユニット４１からは携帯装置無線接続信号が通信装置２０に出力され、携帯装置４０とクラウドサーバー１０とが無線通信により接続され、携帯装置４０がユーザー登録情報にログインした後、前記得点値の確認及び照会が行われる。本実施形態において、ワイヤレス通信ユニット４１はＷｉ−Ｆｉ通信ユニットである。以上が本考案の第１実施形態に係る各主要部材の構造及び形態の説明である。本考案の実施形態による作動方式及び効果は以下に説明する。
【００２２】
図３は本考案の第１実施形態を示す実施の概略図である。第一地点８１Ａに第一通信装置２０Ａ及び第一ダーツボード３０Ａが設置されると共に２つの第一携帯装置４０Ａが前記第一地点８１Ａで使用され、第二地点８１Ｂに第二通信装置２０Ｂ及び第二ダーツボード３０Ｂが設置されると共に２つの第二携帯装置４０Ｂが前記第二地点８１Ｂで使用されると、第一地点８１Ａの第一ダーツボード３０Ａ及び２つの第一携帯装置４０Ａが第一通信装置２０Ａ及び通信インターネット９０によりクラウドサーバー１０に通信されて接続される。同様に、第二地点８１Ｂの第二ダーツボード３０Ｂ及び２つの第二携帯装置４０Ｂが第二通信装置２０Ｂ及び通信インターネット９０によりクラウドサーバー１０に通信されて接続される。これにより、第一地点８１Ａの内の何れか１つの第一ユーザー８６Ａがダーツを第一ダーツボード３０Ａに射的すると、その結果がクラウドサーバー１０のデータベース１１により計算されて保存されると共に第一得点値を取得させる。この際、第一地点８１Ａの全ての第一ユーザー８６Ａは所持する第一携帯装置４０Ａで照会可能になり、第一得点値を知ることができる。同様に、第二地点８１Ｂの全ての第二ユーザー８６Ｂも所持する第二携帯装置４０Ｂで照会可能であり、第一得点値を知ることができる。
【００２３】
同じく、第二地点８１Ｂの全ての第二ユーザー８６Ｂがダーツを第二ダーツボード３０Ｂに射的して第二得点値を得ると、第一地点８１Ａの全ての第一ユーザー８６Ａ、及び第二地点８１Ｂの全ての第二ユーザー８６Ｂが照会可能になる。
【００２４】
従って、本考案をゲームに利用する場合、離れ離れになる友人や家族が別々の場所で同一のダーツボードゲームを遊べるようになり、趣向性及び適用性を高める目的を達成させる。このほか、本考案を競技に利用する場合、それぞれの参加者が異なる競技場所でダーツ競技に参加可能になり、ダーツボード競技が場所の大きさの制限を受けなくなり、ダーツボード競技の推進及び競技規模の拡大に貢献する。
【００２５】
図４及び図５は本考案の第２実施形態によるダーツボード及び携帯装置のインターネット接続機構であり、同様にクラウドサーバー１０、通信装置２０、ダーツボード３０、及び２つの携帯装置４０で構成される。形態及び効果は第１実施形態と同じであるため、再述は省く。第２実施形態の異なる箇所は、携帯装置４０が携帯装置のワイヤレス通信ユニット４１を有し、携帯装置のワイヤレス通信ユニット４１からは携帯装置無線接続信号がダーツボード３０のダーツボートワイヤレス通信ユニット３３に出力され、携帯装置４０はダーツボード３０、通信装置２０、及び通信インターネット９０を経由してクラウドサーバー１０に無線通信で接続され、携帯装置４０がユーザー登録情報にログインした後、得点値の確認及び照会が行われる。そして、本実施形態に係るダーツボートワイヤレス通信ユニット３３はブルートゥース通信ユニットであり、携帯装置のワイヤレス通信ユニット４１はブルートゥース通信ユニットである。当然ながら、ダーツボートワイヤレス通信ユニット３３もＷｉ−Ｆｉ通信ユニットであり、携帯装置のワイヤレス通信ユニット４１もＷｉ−Ｆｉ通信ユニットである。
【００２６】
また、本考案の第２実施形態によるダーツボード及び携帯装置のインターネット接続機構は、携帯装置４０がダーツボード３０のダーツボートワイヤレス通信ユニット３３により最終的にクラウドサーバー１０に無線通信で接続される。但し、第１実施形態及び第２実施形態に係るダーツボード３０は共に通信装置２０により通信インターネット９０を経てクラウドサーバー１０に通信されて接続され、これにより、ダーツボード３０とクラウドサーバー１０とが通信されて接続され、得点信号が伝送されて得点値の確認及び照会が行われる際に、好ましい安定性を有し、ダーツボード３０が携帯装置４０を経てクラウドサーバー１０に通信されて接続される際の信号の伝送が不安定になるのを防止させる。
【００２７】
なお、図６は本考案の第３実施形態によるダーツボード及び携帯装置のインターネット接続機構であり、同様にクラウドサーバー１０、通信装置２０、ダーツボード３０、及び２つの携帯装置４０で構成される。形態及び効果は第１実施形態と同じであるため、再述はしない。第３実施形態の異なる箇所は、携帯装置４０は携帯装置のワイヤレス通信ユニット４１を有する以外に、携帯装置のワイヤレス通信ユニット４１に信号が接続される指紋識別ユニット４６を更に有し、指紋識別ユニット４６によりユーザーの指紋のスキャンと入力が行われ、指紋の特徴が保存される。スキャンされた指紋の特徴データとデータベース中に確立した指紋参考データとの比較が行われ、ユーザーの識別または確認が行われる。
【００２８】
さらに、図７は本考案の第４実施形態によるダーツボード及び携帯装置のインターネット接続機構であり、同様にクラウドサーバー１０、通信装置２０、ダーツボード３０、及び２つの携帯装置４０で構成される。形態及び効果は第１実施形態と同じであるため、再述は省略する。第４実施形態の異なる箇所は、ダーツボード３０がダーツボートワイヤレス通信ユニット３３を有する以外、ダーツボートワイヤレス通信ユニット３３に信号で接続される指紋識別ユニット３９を更に有し、指紋識別ユニット３９によりユーザーの指紋のスキャン及び入力が行われ、指紋の特徴が保存される。スキャンされた指紋の特徴データとデータベース中に確立した指紋参考データとの比較が行われ、ユーザーの識別または確認が行われる。
【００２９】
なお、本考案は前述した実施の形態のみに限定されるものではなく、本考案の要旨を逸脱しない範囲において種々の変更が可能であることは勿論である。
【符号の説明】
【００３０】
１０：クラウドサーバー
１１：データベース
１２：ユーザーデータベース
２０：通信装置
３０：ダーツボード
３１：ダーツ区ユニット
３２：ダーツ区感知ユニット
３３：ダーツボートワイヤレス通信ユニット
３４：ダーツ
３９：指紋識別ユニット
４０：携帯装置
４１：携帯装置のワイヤレス通信ユニット
４６：指紋識別ユニット
９０：通信インターネット
２０Ａ：第一通信装置
２０Ｂ：第二通信装置
３０Ａ：第一ダーツボード
３０Ｂ：第二ダーツボード
４０Ａ：第一携帯装置
４０Ｂ：第二携帯装置
８１Ａ：第一地点
８１Ｂ：第二地点
８６Ａ：第一ユーザー
８６Ｂ：第二ユーザー
【図１】
0003197954.tif 000003
【図２】
0003197954.tif 000004
【図３】
0003197954.tif 000005
【図４】
0003197954.tif 000006
【図５】
0003197954.tif 000007
【図６】
0003197954.tif 000008
【図７】
0003197954.tif 000009